【手続補正書】
【提出日】平成16年12月14日(2004.12.14)
【手続補正１】
【補正対象書類名】明細書
【補正対象項目名】発明の名称
【補正方法】変更
【補正の内容】
【発明の名称】画像記録装置、その制御方法、プログラム及び記録媒体
【手続補正２】
【補正対象書類名】明細書
【補正対象項目名】特許請求の範囲
【補正方法】変更
【補正の内容】
【特許請求の範囲】
【請求項１】
データをバッファリングするバッファと、前記バッファにバッファリングされたデータを記録媒体に記録する記録手段とを有する画像記録装置において、
前記バッファの空き容量と、前記記録媒体の空き容量を検出する空き容量検出手段と、
前記空き容量検出手段の検出結果に基づいて、前記バッファの空き容量と前記記録媒体の空き容量と比較する比較手段と、
前記比較手段の比較結果に基づいて、より小さい空き容量に関する表示を行う表示手段とを有することを特徴とする画像記録装置。
【請求項２】
ＲＡＷデータをバッファリングする第１のバッファと、可視化された画像データをバッファリングする第２のバッファと、前記第１のバッファまたは第２のバッファにバッファリングされたデータを記録媒体に記録する記録手段とを有する画像記録装置において、
前記第１のバッファの空き容量と、前記第２のバッファの空き容量と、前記記録媒体の空き容量とを検出する空き容量検出手段と、
前記空き容量検出手段の検出結果に基づいて、前記第１のバッファの空き容量と、前記第２のバッファの空き容量と、前記記録媒体の空き容量とを比較する比較手段と、
前記比較手段の比較結果に基づいて、最小の空き容量に関する表示を行う表示手段とを有することを特徴とする画像記録装置。
【請求項３】
前記比較手段による比較の結果、前記記録媒体の空き容量が最小であった場合には、前記表示手段は、前記空き容量に関する表示に加え、さらに所定の表示を行うことを特徴とする請求項１又は２記載の画像記録装置。
【請求項４】
前記表示手段は、前記空き容量に関する表示として、前記空き容量において記録可能な画像の枚数を表示することを特徴とする請求項１又は２記載の画像記録装置。
【請求項５】
前記比較手段による比較の結果、前記記録媒体の空き容量が最小であった場合には、前記表示手段は、前記空き容量において記録可能な画像の枚数を表示すると共に、前記画像の枚数の表示箇所近傍に所定の表示を行うことを特徴とする請求項１又は２記載の画像記録装置。
【請求項６】
データをバッファリングするバッファと、前記バッファにバッファリングされたデータを記録媒体に記録する記録手段とを有する画像記録装置の制御方法において、
前記バッファの空き容量と、前記記録媒体の空き容量を検出する空き容量検出ステップと、
前記空き容量検出ステップの検出結果に基づいて、前記バッファの空き容量と前記記録媒体の空き容量と比較する比較ステップと、
前記比較ステップの比較結果に基づいて、より小さい空き容量に関する表示を行う表示ステップとを有することを特徴とする画像記録装置の制御方法。
【請求項７】
ＲＡＷデータをバッファリングする第１のバッファと、可視化された画像データをバッファリングする第２のバッファと、前記第１のバッファまたは第２のバッファにバッファリングされたデータを記録媒体に記録する記録手段とを有する画像記録装置の制御方法において、
前記第１のバッファの空き容量と、前記第２のバッファの空き容量と、前記記録媒体の空き容量とを検出する空き容量検出ステップと、
前記空き容量検出ステップの検出結果に基づいて、前記第１のバッファの空き容量と、前記第２のバッファの空き容量と、前記記録媒体の空き容量とを比較する比較ステップと、
前記比較ステップの比較結果に基づいて、最小の空き容量に関する表示を行う表示ステップとを有することを特徴とする画像記録装置の制御方法。
【請求項８】
請求項６又は７に記載の画像記録装置の制御方法をコンピュータに実行させるためのプログラム。
【請求項９】
請求項８に記載のプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、画像情報を記録する記憶部材及び着脱可能な記録媒体の画像情報の残り記録容量を利用者に通知する画像記録装置、その制御方法、プログラム及び記録媒体に関するものである。
【手続補正４】
【補正対象書類名】明細書
【補正対象項目名】０００４
【補正方法】変更
【補正の内容】
【０００４】
本発明は、上記問題点に鑑みてなされたものであり、記録媒体の残容量を含めた記録可能枚数を表示することによって、残容量が少なくなったことに気付かずに連写撮影等を失敗することのない使用性等に優れた画像記録装置、その制御方法、プログラム及び記録媒体を提供することを目的とする。
【手続補正５】
【補正対象書類名】明細書
【補正対象項目名】０００５
【補正方法】変更
【補正の内容】
【０００５】
【課題を解決するための手段】
本発明の画像記録装置の第１の態様は、データをバッファリングするバッファと、前記バッファにバッファリングされたデータを記録媒体に記録する記録手段とを有する画像記録装置において、前記バッファの空き容量と、前記記録媒体の空き容量を検出する空き容量検出手段と、前記空き容量検出手段の検出結果に基づいて、前記バッファの空き容量と前記記録媒体の空き容量と比較する比較手段と、前記比較手段の比較結果に基づいて、より小さい空き容量に関する表示を行う表示手段とを有することを特徴とする。
本発明の画像記録装置の第２の態様は、画像データをバッファリングする第２のバッファと、前記第１のバッファまたは第２のバッファにバッファリングされたデータを記録媒体に記録する記録手段とを有する画像記録装置において、前記第１のバッファの空き容量と、前記第２のバッファの空き容量と、前記記録媒体の空き容量とを検出する空き容量検出手段と、前記空き容量検出手段の検出結果に基づいて、前記第１のバッファの空き容量と、前記第２のバッファの空き容量と、前記記録媒体の空き容量とを比較する比較手段と、前記比較手段の比較結果に基づいて、最小の空き容量に関する表示を行う表示手段とを有することを特徴とする。
本発明の画像記録装置の制御方法の第１の態様は、データをバッファリングするバッファと、前記バッファにバッファリングされたデータを記録媒体に記録する記録手段とを有する画像記録装置の制御方法において、前記バッファの空き容量と、前記記録媒体の空き容量を検出する空き容量検出ステップと、前記空き容量検出ステップの検出結果に基づいて、前記バッファの空き容量と前記記録媒体の空き容量と比較する比較ステップと、前記比較ステップの比較結果に基づいて、より小さい空き容量に関する表示を行う表示ステップとを有することを特徴とする。
本発明の画像記録装置の制御方法の第２の態様は、ＲＡＷデータをバッファリングする第１のバッファと、可視化された画像データをバッファリングする第２のバッファと、前記第１のバッファまたは第２のバッファにバッファリングされたデータを記録媒体に記録する記録手段とを有する画像記録装置の制御方法において、前記第１のバッファの空き容量と、前記第２のバッファの空き容量と、前記記録媒体の空き容量とを検出する空き容量検出ステップと、前記空き容量検出ステップの検出結果に基づいて、前記第１のバッファの空き容量と、前記第２のバッファの空き容量と、前記記録媒体の空き容量とを比較する比較ステップと、前記比較ステップの比較結果に基づいて、最小の空き容量に関する表示を行う表示ステップとを有することを特徴とする。
本発明のプログラムは、前記画像記録装置の制御方法をコンピュータに実行させることを特徴とする。
本発明のコンピュータ読み取り可能な記録媒体は、前記プログラムを記録したことを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】００５０
【補正方法】変更
【補正の内容】
【００５０】
システム制御回路５０は、単写撮影/連写撮影を設定する単写/連写スイッチ６８の設定状態を調べ（Ｓ１０９）、単写撮影が選択されていたならば単写/連写フラグを単写に設定し（Ｓ１１０）、連写撮影が選択されていたならば単写/連写フラグを連写に設定し（Ｓ１１１）、フラグの設定を終えたならばＳ１１２に進む。
【手続補正１０】
【補正対象書類名】明細書
【補正対象項目名】００８７
【補正方法】変更
【補正の内容】
【００８７】
【発明の効果】
以上の説明から明らかなように、本発明によれば、バッファの空き容量と記録媒体の空き容量を比較して、より小さい空き容量に関する方法を表示することで使用者にとって使いやすい画像記録装置を提供することができる。